(57)【要約】【課題】バッテリーの残量に応じて複数のバッテリーを自動的に切り替え且つ撮影機能の利用中には撮影機能の変化が発生しないカメラを提供する。【解決手段】デジタルカメラ１の連写モードが有効になっているとき、レリーズボタンが押下されている間、使用しているバッテリーに応じた速度で、撮像処理が連続して実行される。ユーザは内蔵バッテリー２３と外部バッテリー２４のどちらのバッテリーを使用するのかを設定することができ、デジタルカメラ１への電力供給は、基本的にユーザが指定したバッテリーが用いられる。しかしながら、使用中のバッテリーの残容量率が所定のしきい値以下になった場合には、制御回路１６により使用するバッテリーの切り替えが自動的に行われる。制御回路１６は、連写機能を使用していないときにのみ残容量率の取得とバッテリーの切り替えとを行う。【選択図】図１
2010087970.tif 000002
【特許請求の範囲】
【請求項１】
使用されているバッテリーの種別に応じて異なる撮影機能を有するカメラであって、
前記カメラへ電力供給を行っているバッテリーの残量が所定の条件を満たすとき、他のバッテリーへの切り替えを行うバッテリー切替手段と、
所定の撮影機能を実行する機能提供手段と、
前記所定の撮影機能が実行されている期間中は、前記バッテリー切替手段によるバッテリーの切り替えが行われたか否かにかかわりなく、前記所定の撮影機能を継続して実行させる制御手段とを備えることを特徴とするカメラ。
【請求項２】
請求項１に記載のカメラにおいて、
前記使用されているバッテリーの種別とは、カメラ内蔵型バッテリーおよび複数種の外部バッテリーのいずれか一つを示し、
前記撮影機能とは、連写モードの有無、連写モードにおける連写速度、動画撮影時における連続撮影可能時間を含むことを特徴とするカメラ。
【請求項３】
請求項１または２に記載のカメラにおいて、
前記制御手段は、前記所定の撮影機能が実行されている期間中、前記バッテリー切替手段によるバッテリーの切り替えを抑止することにより、前記所定の撮影機能を他の撮影機能に変化させないことを特徴とするカメラ。
【請求項４】
請求項１〜３のいずれか一項に記載の電子カメラにおいて、
前記制御手段は、前記所定の撮影機能が実行されている期間中、より制限的な撮影機能へ変更させないことを特徴とするカメラ。
【請求項５】
請求項４に記載のカメラにおいて、
前記所定の撮影機能は連写機能であり、
前記より制限的な撮影機能への変更とは連写速度を低下させる変更であることを特徴とするカメラ。
【請求項６】
請求項４に記載のカメラにおいて、
前記所定の撮影機能は動画撮影機能であり、
前記より制限的な撮影機能への変更とは連続撮影時間を短縮させる変更であることを特徴とするカメラ。
【請求項７】
請求項１〜６のいずれか一項に記載の電子カメラにおいて、
前記バッテリー切替手段によるバッテリーの切り替えは、ユーザが設定した任意の条件に基づいて行われることを特徴とするカメラ。
【発明の詳細な説明】
【技術分野】
【０００１】
本発明は、複数のバッテリーを利用するカメラに関する。
【背景技術】
【０００２】
現在のカメラには、所定の連写速度を備えた連写機能や、所定の連続撮影時間制限を有する動画撮影機能のような、種々の撮影機能が搭載されている。これらの撮影機能を、所定の条件に応じて変化させるようにしたカメラが知られている。このようなカメラは、例えば連写機能においては、バッテリーの種類、被写体の状態、および周辺環境などにより連写速度を切り替える。例えば特許文献１では、被写体の動きに応じて連写速度を自動的に切り替えるカメラが開示されている。
【０００３】
【特許文献１】特開平１０−３１１０号公報
【発明の開示】
【発明が解決しようとする課題】
【０００４】
使用するバッテリーの種類に応じて撮影機能を変化させるカメラにおいて、バッテリーの残量に応じて使用するバッテリーを自動的に切り替えるようにした場合、撮影機能を使用中にバッテリーの切り替えが発生することにより、ユーザが意図しない撮影機能の変化が発生することがあった。
【課題を解決するための手段】
【０００５】
請求項１に係る発明は、使用されているバッテリーの種別に応じて異なる撮影機能を有するカメラであって、前記カメラへ電力供給を行っているバッテリーの残量が所定の条件を満たすとき、他のバッテリーへの切り替えを行うバッテリー切替手段と、所定の撮影機能を実行する機能提供手段と、前記所定の撮影機能が実行されている期間中は、前記バッテリー切替手段によるバッテリーの切り替えが行われたか否かにかかわりなく、前記所定の撮影機能を継続して実行させる制御手段とを備えることを特徴とするカメラである。
【発明の効果】
【０００６】
本発明によれば、ユーザの意図しない撮影機能の変化の発生を防止できる。
【発明を実施するための最良の形態】
【０００７】
――第１の実施の形態――
図面を用いて、本発明の一実施の形態によるデジタルカメラについて説明する。この実施の形態のデジタルカメラには内部バッテリーよりも大容量である外部バッテリーを接続することができる。使用中のバッテリーの残容量率が所定のしきい値を下回ると、使用するバッテリーを他方へ切り替える。
【０００８】
図１は本実施の形態によるデジタルカメラの回路構成を示すブロック図である。デジタルカメラ１は、入力装置１３，焦点調節装置１４，撮像素子１５，制御回路１６，ＤＲＡＭ１７，フラッシュメモリ１８，液晶モニタ２０，メモリカードインタフェース（Ｉ／Ｆ）２１，および内蔵バッテリー２３を備える。
【０００９】
撮像素子１５は、画素に対応する複数の光電変換素子を備えたＣＣＤやＣＭＯＳイメージセンサによって構成される。撮像素子１５は、撮像面上に結像されている被写体像を撮像し、被写体像の明るさに応じた光電変換信号（画像信号）を出力する。撮像素子１５の撮像面には、それぞれＲ（赤）、Ｇ（緑）およびＢ（青）のカラーフィルタが画素位置に対応するように設けられている。撮像素子１５がカラーフィルタを通して被写体像を撮像するため、各撮像素子から出力される画像信号は、それぞれＲＧＢ表色系の色情報を有する。
【００１０】
撮像素子１５から出力された画像信号は制御回路１６に入力される。制御回路１６は、画像信号に対して種々の画像処理を行い、画像データを生成する。そして、制御回路１６は生成された画像データに対してＪＰＥＧなどの所定の方式により圧縮処理を行い、ＥＸＩＦなどの形式で記録媒体２２へ記録する。制御回路１６は、たとえばＲＩＳＣなどで構成され、図１に示す各回路を制御する。
【００１１】
焦点調節装置１４は、撮像素子１５から出力される撮像信号に基づいて周知の焦点評価値演算を行い、演算結果を制御回路１６へ出力する。制御回路１６は、上記演算結果に基づいて、焦点評価値が最大となる位置へ撮影レンズ１０を移動する。
【００１２】
ＤＲＡＭ１７は、画像処理、画像圧縮処理および表示用画像データ作成処理の途中や処理後のデータを一時的に格納するために使用される。表示用画像データは、制御回路１６が撮像素子１５からの出力に基づいて生成した画像データ、もしくは記録媒体２２に記録されている画像データに基づいて、制御回路１６により生成される。生成された表示用画像データは、制御回路１６によりＤＲＡＭ１７に格納される。フラッシュメモリ１８は、たとえば制御回路１６が演算を行なうための各種の処理プログラムが記憶された不揮発性メモリである。
【００１３】
ＬＣＤ駆動回路１９は制御回路１６の命令に基づいて液晶モニタ２０を駆動し、液晶モニタ２０は画像を表示する。また、液晶モニタ２０は、デジタルカメラの各種設定メニュー画面の表示を行なう。入力装置１３は、レリーズボタンや再生ボタンなどの種々の操作ボタンを含み、使用者による各操作ボタンの操作信号を制御回路１６へ出力する。内蔵バッテリー２３は、デジタルカメラ１の各部材へ動作に必要な電力を供給する。制御回路１６は内蔵バッテリー２３から残容量率を取得することができる。
【００１４】
デジタルカメラ１には、図１に示した補助バッテリーパック２を接続することができる。補助バッテリーパック２は外部バッテリー２４を備える。デジタルカメラ１へ補助バッテリーパック２を接続すると、デジタルカメラ１の各部材へ外部バッテリー２４から電力を供給することができるようになる。また、制御回路１６が外部バッテリー２４の残容量率を取得できるようになる。
【００１５】
内蔵バッテリー２３と外部バッテリー２４とは排他的に動作する。すなわち、デジタルカメラ１の各部材への電力の供給は、内蔵バッテリー２３と外部バッテリー２４とのいずれか一方により行われ、これら２つのバッテリーから同時に電力が供給されることはない。ユーザはどちらのバッテリーを使用するかを、デジタルカメラ１に設定することができる。制御回路１６は、ユーザによる設定とこれら２つのバッテリーから取得した残容量率とに基づいて、どちらのバッテリーから電力の供給を受けるかを決定する。
【００１６】
次に、デジタルカメラ１の連写機能について説明する。デジタルカメラ１には連写モードが存在し、ユーザは入力装置１３を操作することにより連写モードを有効にするか否かを決定することができる。連写モードが無効になっているとき、レリーズボタンを１回押下する度にデジタルカメラ１による撮像処理が１回だけ実行される。連写モードが有効になっているとき、レリーズボタンが押下されている間、撮像処理が連続して実行される。
【００１７】
図２は、デジタルカメラ１が利用可能なバッテリー毎の連写速度を示す図である。内蔵バッテリー２３は１５００ミリアンペア時の容量を持ち、最大連写速度は毎秒６枚である。すなわち、デジタルカメラ１が内蔵バッテリー２３による電力の供給を受けて動作しているときに連写モードを有効にすると、レリーズボタンの押下中に最大で毎秒６回の撮像が行われる。なお、デジタルカメラ１のシャッター速度が設定などにより遅くなっている場合には、連写速度が最大連写速度を下回ることもある。
【００１８】
他方、外部バッテリー２４は内蔵バッテリー２３よりも大きい２５００ミリアンペア時の容量を持つ。これに伴い、最大連写速度は内蔵バッテリー２３よりも高速な毎秒８枚となっている。すなわち、ユーザは外部バッテリー２４から電力の供給を受けるよう設定を行うことで、内蔵バッテリー２３を使用する場合よりも高速な連写を行うことができる。
【００１９】
次に、制御回路１６によるバッテリーの切り替えについて説明する。前述の通り、ユーザは内蔵バッテリー２３と外部バッテリー２４のどちらのバッテリーを使用するのかを設定することができる。デジタルカメラ１への電力供給は、基本的にユーザが指定したバッテリーが用いられる。しかしながら、使用中のバッテリーの残容量率が所定のしきい値以下になった場合には、制御回路１６により使用するバッテリーの切り替えが自動的に行われる。
【００２０】
制御回路１６によるバッテリーの切り替えが、連写機能を使用している間に行われることはない。これは、連写を行っている最中にバッテリーの切り替えが行われると、ユーザが意図しない最大連写速度の変化が生じてしまうためである。制御回路１６は、連写機能を使用していないときにのみ残容量率の取得とバッテリーの切り替えとを行う。
【００２１】
本実施形態では、バッテリーの切り替えが行われる残容量率のしきい値は、ユーザが任意に設定することができる。ユーザによる設定が行われていない場合、バッテリーの切り替えが行われる残容量率のしきい値は１０％である。
【００２２】
図３は、デジタルカメラ１の電源オンから電源オフまでの動作を示すフローチャートである。このフローチャートは、デジタルカメラ１が電源オフ状態から一旦電源オン状態となり、再び電源オフ状態になるまでの動作を示している。まずステップＳ１０では、入力装置１３に含まれる電源ボタンが押下されたか否かを判定する。電源ボタンが押下されるまでステップＳ１０の処理を繰り返し、電源ボタンが押下されるとステップＳ１１へ進む。
【００２３】
ステップＳ１１では、デジタルカメラ１を電源オン状態にする。ステップＳ１２では、ユーザによりバッテリー切り替えのしきい値が設定されているか否かを判定する。ユーザによるしきい値の設定が行われている場合には、ステップＳ１２により肯定判定がなされ、ステップＳ１３へ進む。ステップＳ１３では、ユーザが設定したしきい値を読み出し、バッテリー切り替えのしきい値として採用する。他方、ステップＳ１２により否定判定がなされた場合には、ステップＳ１４へ進み、フラッシュメモリ１８から所定のしきい値（１０％）を読み出す。
【００２４】
ステップＳ１５では、後述するメイン処理を実行する。メイン処理は、連写処理およびバッテリー切り替え処理を含む。ステップＳ１６では、電源ボタンが押下されたか否かを判定する。電源ボタンが押下されていない場合にはステップＳ１６により否定判定がなされ、ステップＳ１５へ戻る。他方、ステップＳ１６により肯定判定がなされた場合には、ステップＳ１７へ進む。ステップＳ１７では、デジタルカメラ１を電源オフ状態にし、処理を終了する。
【００２５】
図４は、図３に示したフローチャートのステップＳ１５で実行されるメイン処理を示すフローチャートである。まずステップＳ２１では、レリーズボタンが押下されたか否かを判定する。レリーズボタンが押されている場合には、ステップＳ２１により肯定判定がなされ、ステップＳ２２へ進む。他方、ステップＳ２１により否定判定がなされた場合には、ステップＳ２４へ進む。
【００２６】
ステップＳ２２では連写処理を開始する。これ以降、可能な限り早い速度で、撮像処理を繰り返す。ステップＳ２３では、レリーズボタンが解放されたか否かを判定する。レリーズボタンが押されていない場合には、ステップＳ２３により肯定判定がなされ、ステップＳ２４へ進む。レリーズボタンの押下中、撮像処理およびステップＳ２３の処理を繰り返す。
【００２７】
ステップＳ２４では連写処理を終了する。ステップＳ２５では、現在使用しているバッテリーの残容量率を取得する。ステップＳ２６では、ステップＳ２５で取得した残容量率がバッテリー切り替えのしきい値以下であるか否かを判定する。残容量率がしきい値以下であった場合、ステップＳ２６により肯定判定がなされ、ステップＳ２７へ進む。他方、ステップＳ２６により否定判定がなされた場合には、メイン処理を終了する。
【００２８】
ステップＳ２７では、連写速度を切り替え先のバッテリーに対応する速度に変更する。すなわち、現在使用しているバッテリーが内蔵バッテリー２３であれば連写速度は毎秒８枚に、現在外部バッテリー２４を使用しているのであれば連写速度は毎秒６枚に変更される。ステップＳ２８では、デジタルカメラ１の各部材へ電力を供給するバッテリーを、現在使用中のバッテリーとは異なるバッテリーへ切り替える。バッテリーの切り替えが終了したらメイン処理を終了する。
【００２９】
上述した第１の実施の形態によるデジタルカメラによれば、次の作用効果が得られる。
（１）使用するバッテリーを内蔵バッテリー２３と外部バッテリー２４とから残容量率に応じて自動的に選択する制御回路１６は、どちらのバッテリーが用いられているかに応じて連写機能における最大連写速度を変化させる。ただし、連写機能の使用中にはバッテリーの切り替えを抑止することにより、最大連写速度の変化を発生させない。これにより、バッテリーの切り替えがユーザにとって意図しない変化を発生させることを防止することができる。
【００３０】
（２）バッテリーの切り替えを行うか否かを判定するためのしきい値は、ユーザが任意に設定することができる。これにより、内蔵バッテリー２３と外部バッテリー２４とをどのように利用するかをユーザが決定することができる。
【００３１】
上述した第１の実施の形態では、連写機能の使用中はバッテリーの切り替えが全く行われなかった。以下に詳述する第２の実施の形態では、内蔵バッテリー２３から外部バッテリー２４への切り替えに限り、連写機能の使用中であっても切り替えが行われる。
【００３２】
――第２の実施の形態――
第２の実施の形態によるデジタルカメラは、内蔵バッテリー２３を使用している場合に限り、図４に示したメイン処理とは異なる処理を実行する。この処理では、連写機能の使用中であっても残容量率に応じてバッテリーの切り替えを行う。ただし、連写速度の変更は行わない。
【００３３】
外部バッテリー２４は内蔵バッテリー２３よりも大きな容量を持ち、内蔵バッテリー２３よりも高速に連写を行うことができる。内蔵バッテリー２３を用いて外部バッテリー２４と同様の連写速度を実現することはできないが、外部バッテリー２４を用いて連写速度を意図的に遅らせ、内蔵バッテリー２３と同様の連写速度を実現することは可能である。そこで、本実施の形態におけるデジタルカメラは、連写機能の使用中に内蔵バッテリー２３から外部バッテリー２４への切り替えが行われた場合、連写速度を内蔵バッテリー２３に合わせ、本来の外部バッテリー２４が備える最大連写速度よりも遅い連写速度とする。これにより、ユーザが意図しない連写速度の変化が生じない。
【００３４】
図５は、内蔵バッテリー２３を使用している場合にデジタルカメラにより呼び出されるメイン処理を示すフローチャートである。第２の実施の形態によるデジタルカメラは、内蔵バッテリー２３から電力の供給を受けている場合に限り、図３に示したフローチャートのステップＳ１４から、図４のフローチャートに示した処理ではなく、図５のフローチャートに示す処理を実行する。以下、図５を用いて内蔵バッテリー２３を使用している場合のメイン処理を説明する。
【００３５】
まずステップＳ３１では、レリーズボタンが押下されたか否かを判定する。レリーズボタンが押されている場合には、ステップＳ３１により肯定判定がなされ、ステップＳ３２へ進む。他方、ステップＳ３１により否定判定がなされた場合には、ステップＳ３７へ進む。
【００３６】
ステップＳ３２では連写処理を開始する。これ以降、可能な限り早い速度で、撮像処理を繰り返す。ステップＳ３３では、現在使用している内蔵バッテリー２３の残容量率を取得する。ステップＳ３４では、ステップＳ３３で取得した内蔵バッテリー２３の残容量率がバッテリー切り替えのしきい値以下であるか否かを判定する。残容量率がバッテリー切り替えのしきい値以下である場合には、ステップＳ３４により肯定判定がなされ、ステップＳ３５へ進む。ステップＳ３５では、使用するバッテリーを内蔵バッテリー２３から外部バッテリー２４へ切り替え、ステップＳ３６へ進む。他方、ステップＳ３４により否定判定がなされた場合には、ステップＳ３６へ進む。
【００３７】
ステップＳ３６では、レリーズボタンが解放されたか否かを判定する。レリーズボタンが押されていない場合には、ステップＳ３６により肯定判定がなされ、ステップＳ３７へ進む。レリーズボタンが押下中である場合には、ステップＳ３３へ戻る。ステップＳ３３からステップＳ３６の処理を実行する間、デジタルカメラ１は撮像処理を可能な限り早い速度で実行し続ける。
【００３８】
ステップＳ３７では連写処理を終了する。ステップＳ３８では、内蔵バッテリー２３の残容量率を取得する。ステップＳ３９では、ステップＳ３８で取得した残容量率がバッテリー切り替えのしきい値以下であるか否かを判定する。残容量率がしきい値以下であった場合、ステップＳ３９により肯定判定がなされ、ステップＳ４０へ進む。他方、ステップＳ３９により否定判定がなされた場合には、メイン処理を終了する。
【００３９】
ステップＳ４０では、連写速度を外部バッテリー２４に対応する速度に変更する。すなわち、連写速度は毎秒６枚に変更される。ステップＳ４１では、外部バッテリー２４がデジタルカメラ１の各部材へ電力を供給するよう設定する。既に外部バッテリー２４により電力の供給が行われている場合には何も行わない。バッテリーの切り替えが終了したらメイン処理を終了する。
【００４０】
上述した第２の実施の形態によるデジタルカメラによれば、第１の実施の形態によるデジタルカメラで得られる作用効果に加えて、次の作用効果が得られる。
（１）制御回路１６は、内蔵バッテリー２３が使用されており且つ連写機能を使用している場合には、外部バッテリー２４への切り替えを行っても最大連写速度を変化させない。これにより、内蔵バッテリー２３の消耗を抑え且つ最大連写速度の変化を抑止することができる。
【００４１】
上述した第１の実施の形態では、連写機能を使用しているときにはバッテリーの切り替えが行われなかった。以下に詳述する第３の実施の形態では、連写機能ではなく動画撮影機能を対象としてバッテリーの切り替えを制御する。
【００４２】
――第３の実施の形態――
第３の実施の形態におけるデジタルカメラは、動画撮影機能を備える。ユーザが入力装置１３を用いて動画撮影を有効にし、その後レリーズボタンを押下すると動画の撮影が開始される。以降、再度レリーズボタンが押下されるか、あるいは動画の連続撮影時間が所定の制限時間に達するまで動画撮影が継続される。撮影した動画は記録媒体２２へ記録される。
【００４３】
図６は、本実施形態におけるデジタルカメラが利用可能なバッテリー毎の、動画撮影の制限時間を示す図である。第１の実施の形態と同様に、本実施形態におけるデジタルカメラ１は内蔵バッテリー２３と外部バッテリー２４とのいずれか一方から電力の供給を受ける。内蔵バッテリー２３が電力を供給しているとき、デジタルカメラ１は最長で３分間の動画を撮影することができる。他方、外部バッテリー２４が電力を供給しているときは、動作撮影時間は最長で５分間となる。
【００４４】
図７は、第３の実施の形態において、図３に示したフローチャートのステップＳ１５で実行されるメイン処理を示すフローチャートである。まずステップＳ５１では、レリーズボタンが押されたか否かを判定する。レリーズボタンが押された場合には、ステップＳ５１により肯定判定がなされ、ステップＳ５２へ進む。他方、ステップＳ５１により否定判定がなされた場合には、ステップＳ５４へ進む。
【００４５】
ステップＳ５２では動画撮影処理を開始する。これ以降、動画撮影処理を終了するまで、継続して動画撮影処理を行う。ステップＳ５３では、現在撮影中の動画の撮影時間が動画撮影の制限時間に到達したか否かを判定する。撮影時間が制限時間に達していた場合、ステップＳ５３により肯定判定がなされ、ステップＳ５５へ進む。他方、ステップＳ５３により否定判定がなされた場合にはステップＳ５４へ進む。ステップＳ５４では、ステップＳ５１以降にレリーズボタンが再度押されたか否かを判定する。レリーズボタンが押されていない場合には、ステップＳ５４により肯定判定がなされ、ステップＳ５５へ進む。レリーズボタンの押下中、動画撮影処理を継続して実行する。
【００４６】
ステップＳ５５では動画撮影処理を終了する。ステップＳ５６では、現在使用しているバッテリーの残容量率を取得する。ステップＳ５７では、ステップＳ５６で取得した残容量率がバッテリー切り替えのしきい値以下であるか否かを判定する。残容量率がしきい値以下であった場合、ステップＳ５７により肯定判定がなされ、ステップＳ５８へ進む。他方、ステップＳ５７により否定判定がなされた場合には、メイン処理を終了する。
【００４７】
ステップＳ５８では、動画撮影の制限時間を切り替え先のバッテリーに対応する制限時間に変更する。すなわち、現在使用しているバッテリーが内蔵バッテリー２３であれば制限時間は５分に、現在外部バッテリー２４を使用しているのであれば制限時間は３分に変更される。ステップＳ５９では、デジタルカメラ１の各部材へ電力を供給するバッテリーを、現在使用中のバッテリーとは異なるバッテリーへ切り替える。バッテリーの切り替えが終了したらメイン処理を終了する。
【００４８】
上述した第３の実施の形態によるデジタルカメラによれば、第１の実施の形態によるデジタルカメラで得られる作用効果に加えて、次の作用効果が得られる。
（１）制御回路１６は、動画撮影が行われているときバッテリーの切り替えを行わず、動画の連続撮影の制限時間も変化させない。これにより、動画撮影機能に対して、バッテリーの切り替えがユーザにとって意図しない変化を発生させることを防止することができる。
【００４９】
次のような変形も本発明の範囲内であり、変形例の一つ、もしくは複数を上述の実施形態と組み合わせることも可能である。
（１）使用するバッテリーを切り替えるか否かを判定するために、残容量率以外のパラメータを用いてもよい。例えば、バッテリーの残容量を用いてもよい。
【００５０】
（２）デジタルカメラ１の起動時に使用するバッテリーは、ユーザによる設定以外の要素に基づいて決定してもよい。例えば、常に内蔵バッテリー２３を用いて起動するようにしてもよいし、バッテリーの残容量に基づいてどちらのバッテリーを用いるかを決定するようにしてもよい。
【００５１】
本発明の特徴を損なわない限り、本発明は上記実施の形態に限定されるものではなく、本発明の技術的思想の範囲内で考えられるその他の形態についても、本発明の範囲内に含まれる。
【図面の簡単な説明】
【００５２】
【図１】第１の実施の形態によるデジタルカメラの回路構成を示すブロック図である。
【図２】デジタルカメラ１が利用可能なバッテリー毎の連写速度を示す図である。
【図３】デジタルカメラ１の電源オンから電源オフまでの動作を示すフローチャートである。
【図４】第１の実施の形態において、図３に示したフローチャートのステップＳ１５で実行されるメイン処理を示すフローチャートである。
【図５】第２の実施の形態において、内蔵バッテリー２３を使用している場合にデジタルカメラにより呼び出されるメイン処理を示すフローチャートである。
【図６】第３の実施の形態におけるデジタルカメラが利用可能なバッテリー毎の、動画撮影の制限時間を示す図である。
【図７】第３の実施の形態において、図３に示したフローチャートのステップＳ１５で実行されるメイン処理を示すフローチャートである。
【符号の説明】
【００５３】
１  デジタルカメラ
２  補助バッテリーパック
１６  制御回路
２３  内蔵バッテリー
２４  外部バッテリー
【図１】
2010087970.tif 000003
【図２】
2010087970.tif 000004
【図３】
2010087970.tif 000005
【図４】
2010087970.tif 000006
【図５】
2010087970.tif 000007
【図６】
2010087970.tif 000008
【図７】
2010087970.tif 000009